(57)【要約】    【課題】球衝突体の種類数を少なくしつつ周辺部分の遊技部品の配置に適した球衝突部を備えた球衝突体を容易に採用でき、製作コストを低減できるようにする。    【解決手段】遊技盤１０の前面に、遊技部品２１が配置された遊技領域１３と、遊技領域１３へと遊技球を誘導するガイドレール１１と、遊技領域１３の上部に配置され且つガイドレール１１により遊技領域１３へと誘導された遊技球が衝突する球衝突体３４とを備え、球衝突体３４は構成の異なる複数種類の球衝突部４６，４７，５７を有し、球衝突体３４は複数種類の球衝突部４６，４７，５７のうち任意の球衝突部４６，４７，５７を遊技球の衝突する球衝突側に向けた状態で装着可能である。【選択図】  図５
2011045632.tif 000002
【特許請求の範囲】
【請求項１】
遊技盤（１０）の前面に、遊技部品（２１）が配置された遊技領域（１３）と、該遊技領域（１３）へと遊技球を誘導するガイドレール（１１）と、前記遊技領域（１３）の上部に配置され且つ前記ガイドレール（１１）により前記遊技領域（１３）へと誘導された遊技球が衝突する球衝突体（３４）とを備えた弾球遊技機において、前記球衝突体（３４）は構成の異なる複数種類の球衝突部（４６，４７，５７）を有し、該球衝突体（３４）は前記複数種類の球衝突部（４６，４７，５７）のうち任意の球衝突部（４６，４７，５７）を遊技球の衝突する球衝突側に向けた状態で装着可能であることを特徴とする弾球遊技機。
【請求項２】
前記球衝突体（３４）は第１球衝突部（４６）と第２球衝突部（４７）とを有し、前記第１球衝突部（４６）は遊技球が略直角又は略直角に近い角度で衝突する上部衝突面（４６ａ）と、遊技球が前記上部衝突面（４６ａ）よりも小さい角度で衝突する下部衝突面（４６ｂ）とを有し、前記第２球衝突部（４７）は遊技球が前記上部衝突面（４６ａ）よりも小さい角度で衝突する衝突面（４７ａ，４７ｂ）を有することを特徴とする請求項１に記載の弾球遊技機。
【請求項３】
前記球衝突体（３４）は、前記遊技盤（１０）が該球衝突体（３４）の下側周辺に複数本の遊技釘（４８）を有し且つ該球衝突体（３４）により跳ね返された遊技球を前記遊技釘（４８）の何れかに衝突させる盤面構成の場合に前記第１球衝突部（４６）を、前記遊技盤（１０）が該球衝突体（３４）の下側に狭い球通過領域（４９）を置いて配置された前記遊技部品（２１）を有し且つ該球衝突体（３４）により跳ね返された遊技球を前記遊技部品（２１）に衝突させる盤面構成の場合に前記第２球衝突部（４７）を夫々前記球衝突側に向けて配置することを特徴とする請求項２に記載の弾球遊技機。
【請求項４】
前記球衝突体（３４）は前記上部衝突面（４６ａ，４７ａ）と前記下部衝突面（４６ｂ，４７ｂ）とに対応して前後方向の通孔（５１）を有し、前記球衝突体（３４）を取り付ける取り付け部４２は、下部側に前記下部衝突面４６ｂ，４７ｂ側の通孔５１に嵌合する長い突起（４４）を、上部側に前記上部衝突面（４６ａ，４７ａ）側の通孔（５１）の端部側に嵌合する短い突起（４３）とを備えたことを特徴とする請求項２又は３に記載の弾球遊技機。
【請求項５】
前記遊技領域（１３）に対して前記ガイドレール（１１）と反対側に配置された飾り部材（１２）に前記取り付け部（４２）を設け、該取り付け部（４２）と前記遊技盤（１０）との間で前記球衝突体（３４）を前後両側から挟持したことを特徴とする請求項４に記載の弾球遊技機。
【請求項６】
前記飾り部材（１２）は前記取り付け部（４２）に取り付けられた前記球衝突体（３４）に当接して該球衝突体（３４）にかかる衝撃を受ける受担壁（３５）を備えたことを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機は、遊技盤の前面にガイドレールと飾り部材とを周方向に装着すると共に、その内部の遊技領域にセンターケースを有する画像表示手段、普通入賞手段、可変入賞手段、図柄始動手段等の複数個の遊技部品を配置しておき、発射手段により発射された遊技球をガイドレールを経て遊技領域の上部側へと案内し、遊技領域内を落下する間にその遊技球を入賞手段に入賞させる等によりゲームを行う。
【０００３】
遊技領域の上部には、遊技領域に対してガイドレールと反対側に球衝突体が配置されており、ガイドレールに誘導されて遊技領域の上部中央を経て反対側へと通過した遊技球を球衝突体に衝突させて遊技領域内へと跳ね返すようにしている。この球衝突体はゴム等の弾性部材により構成されており、上下方向の略平坦状に形成された衝突面に遊技球を衝突させて、衝撃を吸収しながら遊技領域内へと斜め下方に跳ね返すようにしている（特許文献１、２）。
【先行技術文献】
【特許文献】
【０００４】
【特許文献１】特開平１１−９０００３号公報
【特許文献２】特開２００５−１３０９３６号公報
【発明の概要】
【発明が解決しようとする課題】
【０００５】
近年のパチンコ機には、通常はセンターケースの左側の左打ち通路に遊技球を集中させる左打ちを行い、或る遊技状態になればセンターケースの右側の右打ち通路に遊技球を集中させる右打ちを行う右打ち仕様のものがある。右打ち時には球衝突体に遊技球を衝突させながら右打ち通路に遊技球を集中させるが、このような右打ち仕様のパチンコ機においても、その遊技盤の盤面構成よっては球衝突体の周辺部分の遊技部品の配置に大きな違いがある。
【０００６】
例えば、球衝突体の周辺に複数本の遊技釘を配置し、球衝突体に衝突して跳ね返された遊技球を右打ち通路の上部側の何れかの遊技釘に衝突させた後、その右打ち通路に沿って落下させるようにしたものと、球衝突体の周辺に遊技釘を配置せずに、球衝突体との間に狭い球通過領域を置いてセンターケースを配置し、球衝突体に衝突した遊技球をセンターケース上に跳ね返した後、狭い球通過領域から右打ち通路に沿って落下させるようにしたものとがある。
【０００７】
しかし、球衝突体は遊技球の衝突時の衝撃を吸収し緩和するためにゴム等の弾性部材により構成されるが、従来の球衝突体では、その遊技球の球衝突部が上下方向の平坦面により構成されており、盤面構成の如何に拘わらず同じ球衝突体が用いられているため、球衝突体の周辺部分の遊技部品の配置によっては、球衝突体の周辺に配置された遊技釘が折損したり、狭い球通過領域で複数個の遊技球が停滞して遊技球の噛み込みが発生したりするという欠点がある。
【０００８】
即ち、遊技球が衝突したときの反発力の大きい球衝突体を使用すれば、勢いの強い遊技球が衝突したときには、球衝突体から跳ね返る遊技球の勢いも強くなる。そして、右打ち仕様の場合には、遊技球を球衝突体に衝突させて右打ち通路に集中させるため、強い勢いで跳ね返る遊技球が特定の遊技釘に頻繁に衝突することになり、その特定の遊技釘が著しく損傷して終いには折損する等の可能性がある。
【０００９】
一方、球衝突体の反発力を弱くすれば、球衝突体に衝突した後の遊技球が跳ね返る勢いも弱くなり、その後の遊技球の流れも勢いの強い遊技球に比べて悪くなるため、球衝突体とセンターケースとの間の狭い球通過領域で複数の遊技球が停滞して、その狭い球通過領域で遊技球の噛み込みが発生する原因となる。
【００１０】
このため球衝突体の周辺部分の遊技部品の配置を考慮して、その周辺部分の遊技部品の配置に適した球衝突部を有する球衝突体を使用する必要がある。しかし、球衝突体の周辺部分の遊技部品の配置が異なる複数種類の遊技盤を製作する場合に、遊技盤の種類毎にそれに適した球衝突部を備えた球衝突体を準備するとすれば、部品点数が増加して製作コストが大幅にアップするという問題がある。
【００１１】
本発明は、このような従来の問題点に鑑み、球衝突体の種類数を少なくしつつ周辺部分の遊技部品の配置に適した球衝突部を備えた球衝突体を容易に採用でき、製作コストを低減できる弾球遊技機を提供することを目的とする。
【課題を解決するための手段】
【００１２】
本発明は、遊技盤１０の前面に、遊技部品２１が配置された遊技領域１３と、該遊技領域１３へと遊技球を誘導するガイドレール１１と、前記遊技領域１３の上部に配置され且つ前記ガイドレール１１により前記遊技領域１３へと誘導された遊技球が衝突する球衝突体３４とを備えた弾球遊技機において、前記球衝突体３４は構成の異なる複数種類の球衝突部４６，４７，５７を有し、該球衝突体３４は前記複数種類の球衝突部４６，４７，５７のうち任意の球衝突部４６，４７，５７を遊技球の衝突する球衝突側に向けた状態で装着可能にしたものである。
【発明の効果】
【００１３】
本発明によれば、球衝突体３４は構成の異なる複数種類の球衝突部４６，４７，５７を有し、該球衝突体３４は複数種類の球衝突部４６，４７，５７のうち任意の球衝突部４６，４７，５７を遊技球の衝突する球衝突側に向けた状態で装着可能にしているので、球衝突体３４の種類数を少なくしつつ周辺部分の遊技部品２１，４８の配置に適した球衝突部４６，４７，５７を備えた球衝突体３４を容易に採用でき、製作コストを低減できる利点がある。
【図面の簡単な説明】
【００１４】
【図１】本発明の第１の実施形態を示すパチンコ機の正面図である。
【図２】同遊技盤の上部側の正面図である。
【図３】同第２球衝突部を球衝突側に向けた状態での背面図である。
【図４】図３のＸ−Ｘ線断面図である。
【図５】同第１球衝突部を球衝突側に向けた状態での背面図である。
【図６】同遊技盤の第１仕様の説明図である。
【図７】本発明の第２の実施形態を示す要部の背面図である。
【図８】同要部の断面図である。
【図９】本発明の第３の実施形態を示す要部の背面図である。
【図１０】同要部の背面図である。
【図１１】本発明の第４の実施形態を示す要部の背面図である。
【図１２】同要部の背面図である。
【図１３】本発明の第５の実施形態を示す要部の背面図である。
【図１４】同要部の断面図である。
【図１５】同要部の背面図である。
【図１６】同要部の背面図である。
【発明を実施するための形態】
【００１５】
以下、本発明の第１の実施形態を図面に基づいて詳述する。図１〜図６は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１６】
前面板５の前側には発射用の遊技球を貯留する球供給皿７が配置され、その側方に遊技球を発射する発射手段（図示省略）の発射ハンドル８が設けられている。ガラス扉４の裏側には、このガラス扉４に対応するように前枠３に遊技盤１０が着脱自在に装着されている。
【００１７】
遊技盤１０の前面には、発射手段から発射された遊技球を誘導するガイドレール１１と、略円弧状の飾り部材１２とが周方向に装着され、そのガイドレール１１と飾り部材１２との内側が遊技領域１３となっている。
【００１８】
遊技領域１３には画像表示手段１４、普通図柄始動手段１５、第１特別図柄始動手段１６、第２特別図柄始動手段１７、大当たり用の開閉入賞手段１８、複数個の普通入賞手段１９，２０等の各種の遊技部品が配置されている。
【００１９】
画像表示手段１４は遊技領域１３の略中央上部に配置されたセンターケース２１と、このセンターケース２１の表示窓２２に対応してセンターケース２１の裏側に装着された液晶式等の画像表示部２３とを備え、その画像表示部２３に遊技画像を表示するようになっている。センターケース２１は遊技盤１０の前面に装着された前飾り板２４と、表示窓２２の外周で前飾り板２４から前側に突出する突出部２５とを有する。なお、この実施形態では、センターケース２１は遊技部品を構成しており、図１の遊技盤１０の盤面構成は後述の第２仕様を示している。
【００２０】
遊技領域１３はセンターケース２１の頂部を境界として左側が左打ち通路２７となり、右側が右打ち通路２８となっている。センターケース２１は画像表示部２３の左側よりも右側が大きくなっており、左打ち通路２７に比べて右打ち通路２８が狭くなっている。センターケース２１の前飾り板２４は薄い板状であり、突出部２５の外周側であればその前面を遊技球が通過可能である。
【００２１】
画像表示手段１４の下側の左右略中央には、第１特別図柄始動手段１６と第２特別図柄始動手段１７とアウト球口２９とがその順で上下方向に配置されている。画像表示手段１４の左右両側には、複数個の普通入賞手段１９が配置されている。
【００２２】
画像表示手段１４の右下側には、画像表示手段１４との間に右打ち通路２８を置いて遊技領域１３の外周縁に沿って装飾体３０が円弧状に配置されている。装飾体３０の上端側には球案内板３１と普通図柄始動手段１５とが、下端側には普通入賞手段２０が夫々設けられ、また中間に開閉入賞手段１８が設けられている。
【００２３】
飾り部材１２の上部側には、図２に示すように、特別図柄表示手段３３と球衝突体３４とが設けられている。即ち、飾り部材１２の上部側は、図３、図４に示すように、球衝突体３４の上下両側に円弧状に配置された上周壁３６及び下周壁３７と、球衝突体３４の外側で上周壁３６及び下周壁３７を上下に連結し且つ球衝突体３４に遊技球が衝突したときの衝撃を受ける受担壁３５と、上周壁３６及び下周壁３７を外周側で連結する補強壁３８と、上周壁３６、下周壁３７、受担壁３５及び補強壁３８の前端側を連結する前面壁３９とを一体に有する。なお、上周壁３６、下周壁３７、受担壁３５及び補強壁３８の後端は遊技盤１０に当接している。特別図柄表示手段３３は前面壁３９に装着されている。
【００２４】
飾り部材１２の受担壁３５、上周壁３６、下周壁３７等はガイドレール１１と略同程度の前後幅を有し、その上周壁３６はガイドレール１１の略円弧上に配置され、下周壁３７は上周壁３６よりも内側に配置されている。受担壁３５は略上下方向に配置され、その上下両端に上周壁３６、下周壁３７が接続されている。従って、上周壁３６と下周壁３７は受担壁３５を介して遊技領域１３の内外方向に段違い状になっている。
【００２５】
飾り部材１２は複数個の圧入突起４０を遊技盤１０の圧入孔に圧入することにより、遊技盤１０に着脱自在に固定されている。圧入突起４０は飾り部材１２の裏側に一体に設けられている。なお、飾り部材１２は圧入以外の装着手段により装着してもよい。
【００２６】
球衝突体３４はガイドレール１１により誘導された遊技球を衝突させて遊技領域１３内に跳ね返すためのストッパーを構成するものである。この球衝突体３４は、図３〜図５に示すように、上周壁３６と受担壁３５とに跨がって設けられた取り付け部４２の裏側に、上周壁３６と受担壁３５とに沿って着脱自在に装着され、飾り部材１２を遊技盤１０の前面に装着したときに、遊技盤１０と取り付け部４２との間で前後方向に挟持されている。取り付け部４２は板状であって、飾り部材１２の前端側に前面壁３９と一体に設けられており、この取り付け部４２の裏面側には上部側に短い突起４３が、下部側に長い突起４４が後向きに突出して一体に形成されている。
【００２７】
球衝突体３４は適度な反発力、衝撃吸収性及び耐摩耗性を有するゴム等の弾性部材からなる縦長状である。この球衝突体３４には、構成の異なる複数種類の球衝突部、例えば図６に示す第１仕様の盤面構成に適した第１球衝突部４６と、図２に示す第２仕様の盤面構成に適した第２球衝突部４７とが幅方向の両側に設けられており、上下及び左右方向に向きを変えて取り付け部４２に装着するようになっている。
【００２８】
第１仕様の遊技盤１０は、図６に示すように、球衝突体３４の下側周辺に複数本の遊技釘４８が配列されており、球衝突体３４に衝突して遊技領域１３へと跳ね返された遊技球を何れかの遊技釘４８に衝突させた後、右打ち通路２８へと案内するようになっている。また第２仕様の遊技盤１０は、図２に示すように、球衝突体３４の下側周辺にセンターケース２１の突出部２５が近接して配置され、球衝突体３４と突出部２５の外周壁２５ａとの間が狭い球通過領域４９となっており、球衝突体３４に衝突して遊技領域１３へと跳ね返された遊技球を外周壁２５ａで受けた後、狭い球通過領域４９を経て右打ち通路２８へと案内するようになっている。
【００２９】
なお、第１仕様の盤面構成では、球衝突体３４と遊技領域１３の略中央部に配置された画像表示手段１４用のセンターケース２１等の遊技部品との間には十分な間隔があり、その球衝突体３４の下側周辺には複数個の遊技釘４８が配置されている。従って、第１仕様は第２仕様に比較して小型の画像表示手段１４等を使用するか、他の遊技部品を配置する場合に採用されることが多い。
【００３０】
球衝突体３４の各球衝突部４６，４７は、図３、図５に示すように、ガイドレール１１により遊技領域１３の上部側へと誘導された遊技球のうち、勢いの強い遊技球が衝突する上部衝突面４６ａ，４７ａと、勢いの弱い遊技球が衝突する下部衝突面４６ｂ，４７ｂとを備えている。なお、球衝突体３４は上下及び左右方向に反転して第１球衝突部４６と第２球衝突部４７との何れかを遊技球の衝突する球衝突側（以下、単に球衝突側という）に向けるため、第１球衝突部４６と第２球衝突部４７ではその上部衝突面４６ａ，４７ａと下部衝突面４６ｂ，４７ｂとが上下逆向きになっている。
【００３１】
第１球衝突部４６の上部衝突面４６ａは、図５、図６に示すように、遊技球がａ矢示方向に略直角に衝突すべくその上手側近傍の上周壁３６に対して略直角に傾斜して設けられており、また下部衝突面４６ｂは遊技球が上部衝突面４６ａよりも小さい角度αでｂ矢示方向に衝突すべく略上下方向に設けられている。
【００３２】
第１球衝突部４６は下部衝突面４６ｂの延長線が上部衝突面４６ａの上下方向の略中央を通っており、上部衝突面４６ａの下部側が幅方向の外側に突出するくの字状の突出部４６ｃができている。このため受担壁３５には第１球衝突部４６を受担壁３５側に向けたときに、その突出部４６ｃと干渉しないように切り欠き部５０が設けられている（図３参照）。
【００３３】
第２球衝突部４７は、図３に示すように、上部衝突面４７ａと下部衝突面４７ｂとが略上下方向に平坦に形成されており、勢いの強い遊技球と勢いの弱い遊技球との何れもが第１球衝突部４６の上部衝突面４６ａよりも小さい角度（β又はα）でａ矢示方向又はｂ矢示方向に衝突するようになっている。なお、上部衝突面４７ａには勢いの強い遊技球が角度βで衝突し、下部衝突面４７ｂには勢いの弱い遊技球が角度αで衝突する。
【００３４】
球衝突体３４には、図３〜図５に示すように、その第１球衝突部４６と第２球衝突部４７との略中央で長手方向（上下方向）の両側に２個の通孔５１が前後方向に形成され、その各通孔５１に取り付け部４２の各突起４３，４４が挿脱自在に挿入されている。
【００３５】
短い突起４３は勢いの強い遊技球が衝突する上部側に、長い突起４４は勢いの弱い遊技球が衝突する下部側に夫々対応している。そして、上部の短い突起４３は上部衝突面４６ａ，４７ａの前後幅のうち遊技球が衝突する衝突位置及びその近傍に達しない長さであって、上部衝突面４６ａ，４７ａの遊技球の衝突位置から離れた後端部に嵌合している。
【００３６】
従って、第１球衝突部４６、第２球衝突部４７の何れの場合にも、勢いの強い遊技球が頻繁に衝突する上部衝突面４６ａ，４７ａの略中央部に対応する内部が通孔５１により中空状になっている。また長い突起４４は遊技盤１０と取り付け部４２との間で球衝突体３４を前後方向に挟持したときに、その後端が遊技盤１０の前面に当接せずに近接する程度の長さを有する。
【００３７】
第１球衝突部４６、第２球衝突部４７は、図３、図５に示すように、その一方を球衝突側に向けたときに他方が受担壁３５に当接して、球衝突体３４に遊技球が衝突したときの衝撃を受担壁３５を介して飾り部材１２により受けるようになっている。なお、球衝突体３４の上下両端の傾斜面は、上周壁３６の凹部３６ａの傾斜角度と略同じであり、第１球衝突部４６、第２球衝突部４７の何れを球衝突側に向けたときにも上周壁３６の凹部３６ａ内にその傾斜に沿って収まるようになっている。
【００３８】
この実施形態では、次のような利点がある。ゲームに際しては、発射手段により発射された遊技球をガイドレール１１により遊技領域１３の上部側へと誘導した後、遊技状況に応じて左打ち通路２７、右打ち通路２８の何れかに集中させる。例えば、遊技球を右打ち通路２８に集中させる右打ち時には、ガイドレール１１を経て球衝突体３４に遊技球を衝突させながら、センターケース２１の頂部よりも右側へと遊技球を打ち込む。
【００３９】
遊技盤１０には球衝突体３４の周辺部分の盤面構成によって第１仕様と第２仕様との二種類があり、球衝突体３４にはその仕様の違いに応じて第１仕様の遊技盤１０用の第１球衝突部４６と第２仕様の遊技盤１０用の第２球衝突部４７とが設けられている。
【００４０】
そこで、遊技盤１０の製作に当たっては、その遊技盤１０が第１仕様の場合には図５、図６に示すように第１球衝突部４６を、第２仕様の場合には図２、図３に示すように第２球衝突部４７を夫々球衝突側に向けて球衝突体３４を装着する。
【００４１】
従って、１個の球衝突体３４を第１仕様と第２仕様との二種類の遊技盤１０に使い分けることができ、球衝突体３４の種類数を少なくしつつ周辺部分の遊技部品の配置に適した第１球衝突部４６又は第２球衝突部４７を備えた球衝突体３４を容易に採用でき、製作コストを低減できる利点がある。
【００４２】
例えば遊技盤１０が第１仕様の場合には、図５、図６に示すように、第１球衝突部４６を球衝突側に向けて装着する。また遊技盤１０が第２仕様の場合には、図２、図３に示すように、上下及び左右方向に向きを変えて第２球衝突部４７を球衝突側に向けた状態で球衝突体３４を装着する。第１球衝突部４６、第２球衝突部４７の何れの場合にも、図３〜図５に示すように、球衝突体３４の上下の各通孔５１に突起４３，４４を挿入して球衝突体３４を飾り部材１２に取り付けた後、その圧入突起４０を遊技盤１０の圧入孔に圧入して飾り部材１２を遊技盤１０に装着する。
【００４３】
遊技盤１０が第１仕様の場合に第１球衝突部４６を球衝突側に向けて球衝突体３４を装着しておけば、図５、図６に示すように、ガイドレール１１により誘導される遊技球のうち、勢いの強い遊技球はガイドレール１１の終端側から上周壁３６等に沿って上部衝突面４６ａにａ矢示方向に衝突し、また勢いの弱い遊技球はガイドレール１１の終端側から下に離れながら下部衝突面４６ｂにｂ矢示方向に衝突する。
【００４４】
上部衝突面４６ａでは遊技球がａ矢示方向に略直角に衝突して逆方向へと跳ね返されるため、勢いの強い遊技球であっても、上部衝突面４６ａに衝突したときにその衝撃を十分に吸収することができる。遊技球は、第１球衝突部４６で衝撃を吸収されながら逆方向に跳ね返された後、失速して何れかの遊技釘４８に衝突する。従って、上部衝突面４６ａは勢いの強い遊技球が衝突するにも拘わらずその衝撃を十分に緩和できるので、球衝突体３４の周辺近傍に多数の遊技釘４８があって、その何れかの遊技釘４８に上部衝突面４６ａで跳ね返された遊技球が頻繁に衝突するようなことがあっても、遊技釘４８の折損等を防止することができる。
【００４５】
また第１球衝突部４６の下部衝突面４６ｂに衝突する遊技球は下部衝突面４６ｂに対して斜め上方から鋭角状にｂ矢示方向に衝突して斜め下方へと鈍角方向に跳ね返される。しかし、この第１球衝突部４６の下部衝突面４６ｂに衝突する遊技球は、既に失速してガイドレール１１から下方に離れながら衝突する勢いの弱い遊技球であるため、その遊技球の衝突による遊技釘４８の折損等の問題は生じない。
【００４６】
一方、遊技盤１０が第２仕様の場合に第２球衝突部４７を球衝突側に向けて球衝突体３４を装着すれば、図２、図３に示すように、上部衝突面４７ａ、下部衝突面４７ｂの何れに対しても遊技球が鋭角に衝突した後、その上部衝突面４７ａ、下部衝突面４７ｂで鈍角方向に跳ね返されて球衝突体３４の周辺部分を速やかに通過するので、球衝突体３４とセンターケース２１との間の狭い球通過領域４９があっても、その狭い球通過領域４９で複数の遊技球が停滞することによって生じる遊技球の噛み込み等を防止できる。
【００４７】
また第２球衝突部４７の上部衝突面４７ａには勢いの強い遊技球が斜め上方から衝突し、この上部衝突面４７ａにより斜め下方へと跳ね返されるが、遊技盤１０の盤面構成が第２仕様であって、その斜め下方側には狭い球通過領域４９を形成するセンターケース２１の外周壁２５ａがあり、そのセンターケース２１の外周壁２５ａに遊技球が衝突するので、遊技釘４８の折損等の問題が生じることはない。
【００４８】
第１球衝突部４６、第２球衝突部４７の何れの場合にも、上部衝突面４６ａ，４７ａには勢いの強い遊技球が衝突するが、球衝突体３４全体が衝撃の吸収性のよいゴム等の弾性部材により構成されているだけでなく、通孔５１の前端側に突起４３が嵌合しており、その遊技球の衝突位置が通孔５１により中空状になっているため、上部衝突面４６ａ，４７ａの内部が中実状である場合に比較して衝撃の吸収性が更に向上する。
【００４９】
球衝突体３４を装着する場合には、その第１球衝突部４６又は第２球衝突部４７を球衝突側に向けた状態で、上下の通孔５１に突起４３を嵌合させることにより、球衝突体３４を飾り部材１２の取り付け部４２に取り付けた後、圧入突起４０を圧入孔に圧入して取り付け部４２と遊技盤１０との間で球衝突体３４を前後両側から挟持する。従って、第１球衝突部４６又は第２球衝突部４７を球衝突側に向ける場合にも、球衝突体３４を遊技盤１０に対して容易に固定することができる。
【００５０】
２本の突起４３，４４を球衝突体３４の各通孔５１に嵌合させているが、勢いの強い遊技球が衝突する上部衝突面４６ａ，４７ａ側の突起４３は衝突位置よりも前側に外れる短い長さとし、勢いの弱い遊技球が衝突する下部衝突面４６ｂ，４７ｂ側の突起４４は後端が遊技盤１０に近接する長さとしているため、上下２本の突起４３，４４により球衝突体３４を確実に支持しながらも、遊技球の衝撃による各突起４３，４４の損傷等を防止することができる。
【００５１】
更に球衝突体３４は球衝突側と反対側が飾り部材１２の受担壁３５に面接触して、この受担壁３５により裏側から球衝突体３４を受けているので、球衝突体３４にかかる衝撃を２個の突起４３，４４により受ける場合に比較して球衝突体３４の損傷を少なくすることができ、球衝突体３４の耐久性も向上する。
【００５２】
図７、図８は本発明の第２の実施形態を例示する。この実施形態では、飾り部材１２の取り付け部４２に対応する挟持板５３を備え、取り付け部４２と挟持板５３との間で球衝突体３４を挟持して飾り部材１２に固定するようにしている。
【００５３】
挟持板５３には、下側の長い突起４４のネジ孔５４に対応する取り付け孔５５と、球衝突体３４の通孔５１に嵌合する突起５６とが設けられ、その取り付け孔５５に挿通されたネジ６０により、挟持板５３が突起４４を介して飾り部材１２の取り付け部４２に着脱自在に固定されている。他の構成は第１の実施形態と同じである。
【００５４】
球衝突体３４を遊技盤１０に装着する場合には、この実施形態に例示するように飾り部材１２の取り付け部４２と挟持板５３との間で球衝突体３４を挟持して飾り部材１２側に取り付けた後、その飾り部材１２を遊技盤１０の前面に圧入、その他の装着形態で固定してもよい。
【００５５】
図９、図１０は本発明の第３の実施形態を例示する。図９は第１球衝突部４６を球衝突側に向けた状態を、図１０は第２球衝突部４７を球衝突側に向けた状態を夫々示す。球衝突体３４の第１球衝突部４６は、遊技球が略直角に衝突する上部衝突面４６ａと、遊技球が鋭角状に衝突する下部衝突面４６ｂとを有するが、上部衝突面４６ａは下部衝突面４６ｂの延長線上よりも第２球衝突部４７側に後退しており、下面を含む第１球衝突部４６側が略台形状になっている。従って、受担壁３５は第１の実施形態の切り欠き部５０に相当するものがなく、第２球衝突部４７に沿って平坦になっている。他の構成は第１の実施形態と同じである。
【００５６】
このように第１球衝突部４６の上部衝突面４６ａに対して遊技球が略直角に衝突する場合でも、その上部衝突面４６ａを下部衝突面４６ｂの延長線上よりも第１球衝突部４６側に後退させることによって、球衝突体３４の左右幅を小さくすることができる。
【００５７】
図１１、図１２は本発明の第４の実施形態を例示する。図１１は第１球衝突部４６を球衝突側に向けた状態を、図１２は第２球衝突部４７を球衝突側に向けた状態を夫々示す。球衝突体３４にはその左右両側に第１球衝突部４６と第２球衝突部４７とが設けられている。第１球衝突部４６と第２球衝突部４７はその上部衝突面４６ａ，４７ａと下部衝突面４６ｂ，４７ｂとが左右に相対応して設けられている。他の構成は第１の実施形態と同じである。
【００５８】
この実施形態では、遊技盤１０の第１仕様、第２仕様に応じて第１球衝突部４６、第２球衝突部４７が球衝突側となるように球衝突体３４の左右を反転して飾り部材１２に装着すればよい。従って、球衝突体３４の各球衝突部４６，４７の向きを変える場合には、球衝突体３４は上下及び左右方向に反転させる他、左右方向に反転させてもよい。
【００５９】
図１３〜図１６は本発明の第５の実施形態を例示する。図１３、図１４は第１球衝突部４６を球衝突側に向けた状態を、図１５は第２球衝突部４７を球衝突側に向けた状態を、図１６は第３球衝突部５７を球衝突側に向けた状態を夫々示す。
【００６０】
この実施形態では、図１３、図１５、図１６に示すように、球衝突体３４の外周に第１球衝突部４６、第２球衝突部４７及び第３球衝突部５７の三種類が設けられており、前後方向の軸心廻りに略１／３回転ずつ向きを変えて取り付けることにより、球衝突部４６，４７，５７の何れかを球衝突側に向けるようになっている。
【００６１】
球衝突体３４は概ね三角形状であって、その各辺に対応して第１球衝突部４６、第２球衝突部４７及び第３球衝突部５７が設けられている。第１球衝突部４６は、図１３に示すように第１の実施形態と同様に、遊技球が略直角に衝突する上部衝突面４６ａと、遊技球が鋭角方向に衝突する下部衝突面４６ｂを有する。第２球衝突部４７は、図１５に示すように、遊技球が鋭角方向に衝突する上部衝突面４７ａ及び下部衝突面４７ｂを有し、両衝突面４７ａ，４７ｂが連続状に形成されている。
【００６２】
第３球衝突部５７は、図１６に示すように、上部衝突面５７ａと下部衝突面５７ｂとを有する。この第３球衝突部５７の上部衝突面５７ａ及び下部衝突面５７ｂは遊技球が鋭角方向に衝突するが、その上部衝突面５７ａは第１球衝突部４６の上部衝突面４６ａと第２球衝突部４７の上部衝突面４７ａとの中間的な角度であり、また下部衝突面５７ｂは第１球衝突部４６、第２球衝突部４７の各下部衝突面４６ｂ，４７ｂと略同じである。
【００６３】
球衝突体３４には周方向に等間隔を置いて３個の通孔５１が形成され、また取り付け部４２にはその上部側の短い突起４３と他の２個の長い突起４４とが各通孔５１に対応して設けられている。上部側以外の２個の突起４４には、取り付け部４２との間で球衝突体３４を挟持する挟持板５３がネジ６０，６１により固定されている。突起４３は第１の実施形態と同様に短くなっている。
【００６４】
飾り部材１２には勢いの強い遊技球の飛行方向の略延長上に、各球衝突部４６，４７，５７の下部衝突面４６ｂ，４７ｂ，５７ｂが略面接触する受担壁３５が設けられており、この受担壁３５で球衝突体３４に遊技球が衝突したときの衝撃を受るようになっている。なお、挟持板５３は省略してもよい。また２個の突起４４の内、受担壁３５に近い側の突起４４は省略してもよい。
【００６５】
この実施形態では、球衝突体３４の外周に第１球衝突部４６と第２球衝突部４７と第３球衝突部５７との三種類の球衝突部があるため、遊技盤１０の球衝突体３４の周辺部分の盤面構成の違いに細かく対応することができる。
【００６６】
また球衝突体３４の下部衝突面４６ｂ，４７ｂ，５７ｂに対応して受担壁３５があるので、その受担壁３５で球衝突体３４の衝撃を確実に受けることができる。例えば、第１球衝突部４６の場合には第２球衝突部４７の下部衝突面４７ｂが、第２球衝突部４７の場合には第３球衝突部５７の下部衝突面５７ｂが、第３球衝突部５７の場合には第１球衝突部４６の下部衝突面４６ｂが夫々受担壁３５に面接触しており、遊技球の衝突方向の延長線上で受担壁３５により球衝突体３４を受けている。従って、球衝突体３４を３個の突起４３，４４のみで支持する場合に比較して、球衝突体３４の損傷を少なくすることができる。なお、球衝突側の上下２個の突起４３，４４により球衝突体３４を支持してもよい。
【００６７】
以上、本発明の各実施形態について詳述したが、本発明はこの各実施形態に限定されるものではなく、本発明の趣旨を逸脱しない範囲で種々の変更が可能である。例えば、球衝突体３４の球衝突部４６，４７，５７の種類数は二種類か三種類程度が適当であるが、それ以上の種類を設けてもよい。
【００６８】
また複数種類の球衝突部４６，４７，５７の何れかを球衝突側に向けた状態で球衝突体３４を遊技盤１０に固定する場合、種類数が多くなればなるほど、球衝突体３４の向きの決定が煩わしくなるため、各球衝突部４６，４７，５７に対応して装着すべき向きを示す表示を付しておくことが望ましい。
【００６９】
球衝突体３４を遊技盤１０に装着するに当たっては、球衝突体３４を遊技盤１０に直接、又は支持具を介して間接的に取り付けてもよい。間接的に取り付ける場合には、実施形態に例示するように飾り部材１２の取り付け部４２の裏側に球衝突体３４を配置すれば、球衝突体３４を取り付け部４２で前側から覆うことができるので、装着状態での見栄えが向上する。
【００７０】
第１球衝突部４６の上部衝突面４６ａは遊技球が略直角に衝突する他、略直角に近い角度で衝突するようにしてもよい。上部衝突面４６ａ，４７ａに対応する突起４３と下部衝突面４６ｂ，４７ｂに対応する突起４４とを球衝突体３４の上下の通孔５１に挿入して球衝突体３４を飾り部材１２の取り付け部４２に支持する場合、その上部衝突面４６ａ，４７ａ側の突起４３は短くすることが望ましいが、球衝突体３４の上部衝突面４６ａ，４７ａ側で十分に衝撃を吸収できるか、遊技球の衝突時の衝撃に十分抗し得るならば、上部衝突面４６ａ，４７ａ側の突起４３を長くしてもよい。
【００７１】
球衝突体３４の下側周辺部分の盤面構成とした第１仕様と第２仕様との二種類を示してるが、この盤面構成は単なる例示に過ぎず、他の盤面構成でもよい。また各仕様で球衝突体３４の下側周辺に配置される遊技部品としてセンターケース２１、遊技釘４８を例示しているが、他の遊技部品でもよい。更に本発明はパチンコ機の他、アレンジボール機、その他の各種の弾球遊技機においても同様に実施可能であることは云うまでもない。
【符号の説明】
【００７２】
１０  遊技盤
１１  ガイドレール
１２  飾り部材
１３  遊技領域
２１  センターケース（遊技部品）
３４  球衝突体
３５  受担壁
４２  取り付け部
４３，４４  突起
４６  第１球衝突部
４７  第２球衝突部
４６ａ，４７ａ，５７ａ  上部衝突面
４６ｂ，４７ｂ，５７ｂ  下部衝突面
４９  遊技釘
５１  通孔
５７  第３球衝突部
【図１】
2011045632.tif 000003
【図２】
2011045632.tif 000004
【図３】
2011045632.tif 000005
【図４】
2011045632.tif 000006
【図５】
2011045632.tif 000007
【図６】
2011045632.tif 000008
【図７】
2011045632.tif 000009
【図８】
2011045632.tif 000010
【図９】
2011045632.tif 000011
【図１０】
2011045632.tif 000012
【図１１】
2011045632.tif 000013
【図１２】
2011045632.tif 000014
【図１３】
2011045632.tif 000015
【図１４】
2011045632.tif 000016
【図１５】
2011045632.tif 000017
【図１６】
2011045632.tif 000018